(57)【要約】【課題】  利便性に優れ、１台で複数の自局電話番号を複数の用途や通話対象ごとに使い分けても人間関係の悪化を招来することがない携帯電話機を提供すること。【解決手段】  １台で複数の自局電話番号を私用可能な携帯電話機であって、所定の着信態様で着信報知を行う着信報知手段と、複数の自局電話番号の各々に対して、着信態様を変化させることとする期間を設定可能な期間設定手段と、期間設定手段により設定された期間内に着信があったか否かを判断する判断手段と、判断手段の判断結果に応じて、着信報知手段による着信報知の着信態様を変更する着信態様変更手段とを備えたことを特徴とする携帯電話機。【選択図】    図４
2005204226.tif 000002
【特許請求の範囲】
【請求項１】
１台で複数の自局電話番号を使用可能な携帯電話機であって、
所定の着信態様で着信報知を行う着信報知手段と、
前記複数の自局電話番号の各々に対して、着信態様を変更させることとする期間を設定可能な期間設定手段と、
前記期間設定手段により設定された期間内に着信があったか否かを判断する判断手段と、
前記判断手段の判断結果に応じて、前記着信報知手段による着信報知の着信態様を変更する着信態様変更手段と
を備えたことを特徴とする携帯電話機。
【請求項２】
前記着信態様変更手段は、前記期間設定手段により設定された期間内に着信があったと前記判断手段により判断されたことを受けて、着信報知を行わないように、着信態様を変更することを特徴とする請求項１に記載の携帯電話機。
【請求項３】
前記着信報知手段として、所定の着信音で着信報知を行う着信音発生手段と、所定の振動で着信報知を行う振動発生手段とを備え、
前記着信態様変更手段は、前記期間設定手段により設定された期間内に着信があったと前記判断手段により判断されたことを受けて、前記着信音発生手段による着信報知を行わずに前記振動発生手段による着信報知を行うように、着信態様を変更することを特徴とする請求項１に記載の携帯電話機。
【請求項４】
前記期間設定手段により設定された期間内に着信があったと前記判断手段により判断されたことを受けて、通話することができない旨を相手先に知らせるための音声メッセージを送出する送出手段を備えたことを特徴とする請求項１〜３のいずれか１に記載の携帯電話機。
【請求項５】
前記音声メッセージを前記自局電話番号に対応させて個別に設定可能な第１音声メッセージ設定手段を備えたことを特徴とする請求項４に記載の携帯電話機。
【請求項６】
前記音声メッセージを相手局電話番号に対応させて個別に設定可能な第２音声メッセージ設定手段を備えたことを特徴とする請求項４に記載の携帯電話機。
【請求項７】
所定の着信態様で着信報知を行う着信報知手段と、
着信態様を変更させることとする期間を、相手局電話番号に対して設定可能な期間設定手段と、
前記期間設定手段により設定された期間内に着信があったか否かを判断する判断手段と、
前記判断手段の判断結果に応じて、前記着信報知手段による着信報知の着信態様を変更する着信態様変更手段と
を備えたことを特徴とする携帯電話機。
【請求項８】
１台で複数の自局メールアドレスを使用可能な携帯電話機であって、
所定の着信態様で着信報知を行う着信報知手段と、
前記複数の自局メールアドレスの各々に対して、着信態様を変更させることとする期間を設定可能な期間設定手段と、
前記期間設定手段により設定された期間内に着信があったか否かを判断する判断手段と、
前記判断手段の判断結果に応じて、前記着信報知手段による着信報知の着信態様を変更する着信態様変更手段と
を備えたことを特徴とする携帯電話機。
【発明の詳細な説明】
【技術分野】
【０００１】
本発明は、複数の自局電話番号を使用可能な携帯電話機に関する。
【背景技術】
【０００２】
従来、１台で複数の自局電話番号を使用可能な携帯電話機が存在する（例えば、特許文献１参照）。このような携帯電話機では、複数の客先に対して複数の自局電話番号を使い分けている客商売の人や、私用と公用とに複数の自局電話番号を使い分けている人等にとって、複数台の携帯電話機を所持する必要がなくなるため、利便性に優れたものとなる。
【０００３】
ところで、上述したような複数の自局電話番号を使い分けている人にとっては、いずれかの自局電話番号に対する着信があったことを知られたくない場合がある。この場合、複数台の携帯電話機を所持しているのであれば、着信を受けたくない携帯電話機の電源を切ることにより着信を拒否することが可能であるが、１台で複数の自局電話番号を使用可能な携帯電話機においては、電源を切ってしまうと、着信を受けたくない自局電話番号以外の自局電話番号に対する着信も受けることができなくなってしまうという不都合が生じてしまう。
【０００４】
そこで、１台で複数の自局電話番号を使用可能な携帯電話機であって、自局電話番号ごとに着信態様を設定可能な携帯電話機が存在する（例えば、特許文献２参照）。このような携帯電話機では、複数の自局電話番号のうち、着信があったことを知られたくない自局電話番号についてのみ着信音が発生しないようにしたり、着信を拒否したりすることが可能となる。
【０００５】
【特許文献１】特開２００２−１９９１００号公報
【特許文献２】特開２００３−１８９０１３号公報
【発明の開示】
【発明が解決しようとする課題】
【０００６】
しかしながら、特許文献２に記載の携帯電話機では、状況に応じて、都度、着信態様を変更する必要があるため、利便性に欠けるという問題があった。
例えば、複数の自局電話番号を家族との通話に使用する自局電話番号と、家族に知られたくない交際相手（例えば、水商売の異性等）との通話に使用する自局電話番号とに使い分けている使用者は、自宅に居るときには交際相手からの着信を拒否し、家族と離れているときには交際相手からの着信を許可するというように、状況に応じて、複数の自局電話番号の各々について着信態様を設定変更する必要があるため、設定変更の操作が面倒であるという問題があった。
【０００７】
また、設定変更することを忘れてしまうということもあり、そのような場合には、交際相手の存在を家族に知られてしまうというように、人間関係の悪化を招来するおそれがある。
【０００８】
本発明は上述した問題に鑑みてなされたものであり、その目的は、利便性に優れ、１台で複数の自局電話番号を複数の用途や通話対象ごとに使い分けても人間関係の悪化を招来することがない携帯電話機を提供することにある。
【課題を解決するための手段】
【０００９】
上述した課題を解決するために、本発明は、以下のようなものを提供する。
（１）１台で複数の自局電話番号を私用可能な携帯電話機であって、
所定の着信態様で着信報知を行う着信報知手段と、
上記複数の自局電話番号の各々に対して、着信態様を変更させることとする期間を設定可能な期間設定手段と、
上記期間設定手段により設定された期間内に着信があったか否かを判断する判断手段と、
上記判断手段の判断結果に応じて、上記着信報知手段による着信報知の着信態様を変更する着信態様変更手段と
を備えたことを特徴とする携帯電話機。
【００１０】
（１）の発明によれば、複数の自局電話番号の各々に対して、着信態様を変更させることとする期間（以下、着信態様変更期間ともいう）を設定することが可能であるため、例えば、自宅に居る時間帯に家族に知られたくない交際相手との通話に使用する自局電話番号についての着信態様を変更するように設定しておけば、自宅に帰るごとに着信態様の変更を行う必要がなくなるとともに、着信態様の変更を忘れてしまうこともない。また、例えば、平日の就業時間に友人との通話に使用する自局電話番号についての着信態様を変更するように設定しておけば、就業開始時に、都度、着信態様の変更を行う必要がなくなるとともに、着信態様の変更を忘れてしまうこともない。その結果、利便性に優れ、１台で複数の自局電話番号を複数の用途や通話対象ごとに使い分けても人間関係の悪化を招来することがない携帯電話機を提供することが可能となる。
【００１１】
さらに、本発明は、以下のようなものを提供する。
（２）  上記（１）に記載の携帯電話機であって、
上記着信態様変更手段は、上記期間設定手段により設定された期間内に着信があったと上記判断手段により判断されたことを受けて、着信報知を行わないように、着信態様を変更することを特徴とする。
【００１２】
（２）の発明によれば、例えば、自宅に居る時間帯に家族に知られたくない交際相手との通話に使用する自局電話番号についての着信態様を変更するように設定しておけば、自宅に居るときに交際相手から着信があっても、着信報知が行われず、交際相手からの着信を家族に知られることがない。また、例えば、平日の就業時間に友人との通話に使用する自局電話番号についての着信態様を変更するように設定しておけば、就業中に友人からの着信があっても、着信報知が行われず、友人からの着信を職場の人に知られることがない。このように、設定された期間内に、この設定された期間に係る自局電話番号に対して着信があると、着信報知が行われないため、１台で複数の自局電話番号を複数の用途毎に使い分けていることを他人に知られることを防止することが可能となる。
【００１３】
さらに、本発明は、以下のようなものを提供する。
（３）  上記（１）に記載の携帯電話機であって、
上記着信報知手段として、所定の着信音で着信報知を行う着信音発生手段と、所定の振動で着信報知を行う振動発生手段とを備え、
上記着信態様変更手段は、上記期間設定手段により設定された期間内に着信があったと上記判断手段により判断されたことを受けて、上記着信音発生手段による着信報知を行わずに上記振動発生手段による着信報知を行うように、着信態様を変更することを特徴とする。
【００１４】
（３）の発明によれば、例えば、自宅に居る時間帯に家族に知られたくない交際相手との通話に使用する自局電話番号についての着信態様を変更するように設定しておけば、自宅に居るときに交際相手から着信があっても、着信音による着信報知は行われずに、振動による着信報知が行われるため、家族に交際相手からの着信を知られ難く、その一方で使用者は着信があったことを容易に知ることができる。また、例えば、平日の就業時間に友人との通話に使用する自局電話番号についての着信態様を変更するように設定しておけば、就業中に友人からの着信があっても、着信音による着信報知は行われずに、振動による着信報知が行われるため、職場の人に友人からの着信を知られ難く、その一方で、使用者は着信があったことを容易に知ることができる。このように、設定された期間内に、この期間に係る自局電話番号に対して着信があると、着信音による着信報知は行われずに、振動による着信報知が行われるため、１台で複数の自局電話番号を複数の用途毎に使い分けていることを他人に知られることを防止することが可能となる。
【００１５】
さらに、本発明は、以下のようなものを提供する。
（４）  上記（１）〜（３）のいずれか１に記載の携帯電話機であって、
上記期間設定手段により設定された期間内に着信があったと上記判断手段により判断されたことを受けて、通話することができない旨を相手先に知らせるための音声メッセージを送出する送出手段を備えたことを特徴とする。
【００１６】
（４）の発明によれば、例えば、自宅に居る時間帯に家族に知られたくない交際相手との通話に使用する自局電話番号についての着信態様を変更するように設定しておけば、自宅に居るときに交際相手から着信があると、音声メッセージが送出され、通話することができない旨が交際相手に知らされる。また、例えば、平日の就業時間に友人との通話に使用する自局電話番号についての着信態様を変更するように設定しておけば、就業中に友人からの着信があると、音声メッセージが送出され、通話することができない旨が友人に知らされる。このように、設定された期間内に、この期間に係る自局電話番号に対して着信があると、音声メッセージが送出され、通話することができない旨が知らされるため、人間関係の悪化を確実に防止することができる。
【００１７】
さらに、本発明は、以下のようなものを提供する。
（５）  上記（４）に記載の携帯電話機であって、
上記音声メッセージを上記自局電話番号に対応させて個別に設定可能な第１音声メッセージ設定手段を備えたことを特徴とする。
【００１８】
（５）の発明によれば、それぞれの自局電話番号に応じた音声メッセージを設定することができるため、人間関係の悪化をより確実に防止することができる。
【００１９】
さらに、本発明は、以下のようなものを提供する。
（６）  上記（４）に記載の携帯電話機であって、
上記音声メッセージを相手局電話番号に対応させて個別に設定可能な第２音声メッセージ設定手段を備えたことを特徴とする。
【００２０】
（６）の発明によれば、それぞれの相手局電話番号に応じた音声メッセージを設定することができるため、人間関係の悪化をより確実に防止することができる。
【００２１】
（７）所定の着信態様で着信報知を行う着信報知手段と、
着信態様を変更させることとする期間を、相手局電話番号に対して設定可能な期間設定手段と、
上記期間設定手段により設定された期間内に着信があったか否かを判断する判断手段と、
前記判断手段の判断結果に応じて、上記着信報知手段による着信報知の着信態様を変更する着信態様変更手段と
を備えたことを特徴とする携帯電話機。
【００２２】
（７）の発明によれば、自局電話番号が１つである場合であっても、相手局電話番号に対して着信態様変更期間を設定することが可能であり、期間設定手段により設定された着信態様変更期間内に着信があった場合、着信態様が変更されるため、例えば、勤務時間中に家族や友人の相手局電話番号についての着信態様を変更するように設定しておけば、勤務開始時に、都度、着信態様の変更を行う必要がなくなるとともに、着信態様を変更し忘れてしまうこともない。その結果、利便性に優れ、人間関係の悪化を招来することがない。
【００２３】
さらに、本発明は、以下のようなものを提供する。
（８）１台で複数の自局メールアドレスを使用可能な携帯電話機であって、
所定の着信態様で着信報知を行う着信報知手段と、
上記複数の自局メールアドレスの各々に対して、着信態様を変更させることとする期間を設定可能な期間設定手段と、
上記期間設定手段により設定された期間内に着信があったか否かを判断する判断手段と、
上記判断手段の判断結果に応じて、上記着信報知手段による着信報知の着信態様を変更する着信態様変更手段と
を備えたことを特徴とする携帯電話機。
【００２４】
（８）の発明によれば、複数の自局メールアドレスの各々に対して、着信態様を変更させることとする期間を設定することが可能であるため、例えば、自宅に居る時間帯に家族に知られたくない交際相手とのメールの送受信に使用する自局メールアドレスについての着信態様を変更するように設定しておけば、自宅に帰るごとに着信態様の変更を行う必要がなくなるとともに、着信態様の変更を忘れてしまうこともない。また、例えば、平日の就業時間に友人とのメールの送受信に使用する自局メールアドレスについての着信態様を変更するように設定しておけば、就業開始時に、都度、着信態様の変更を行う必要がなくなるとともに、着信態様の変更を忘れてしまうこともない。その結果、利便性に優れ、１台で複数の自局メールアドレスを複数の用途や相手ごとに使い分けても人間関係の悪化を招来することがない携帯電話機を提供することが可能となる。
【発明の効果】
【００２５】
本発明の構成によれば、利便性に優れ、１台で複数の自局電話番号を複数の用途や通話対象ごとに使い分けても人間関係の悪化を招来することがない携帯電話機を提供することが可能となる。
【発明を実施するための最良の形態】
【００２６】
［第１実施形態］
本発明の第１実施形態について図面に基づいて説明する。以下においては、１台で３つの自局電話番号の使用が可能な携帯電話機について説明することにする。なお、本発明の携帯電話機において、１台で使用可能な自局電話番号の数は、特に限定されるものではない。
図１は、第１実施形態の携帯電話機の一例を模式的に示す斜視図である。
【００２７】
携帯電話機１は、基地局にキャリアの入出力を行う３本のアンテナ８ａ〜８ｃ（図示せず）をその内部に有するアンテナ部２と、電話に出たときに相手局（着信相手先）の音声を聞くための受話口３と、各種機能の設定や着信時に相手局電話番号や相手先の氏名等を表示するための表示部としてのディスプレイ４と、着信音量や通話音量を調節したり、メモリダイヤルの内容をディスプレイ４上に所要の状態で表示させたり、各種機能の設定を選択するための十字方向操作キー５と、電話番号や文字等を入力する際に使用されるダイヤルキーを含む操作キー群６と、通話中に自局の音声を伝えるための送話口７とを備えている。
【００２８】
携帯電話機１の外装は、所要の内装部品（電子部品を含む）を収容するためのケース１１と、ケース１１に収容された内装部品を覆うカバー１２とに分割されており、ケース１１内に内装部品を収容した状態で、ケース１１及びカバー１２の両者を嵌め合わせることにより構成されている。
【００２９】
アンテナ部２は、携帯電話機１で使用可能な３つの自局電話番号にそれぞれ対応した３本のアンテナ８ａ〜８ｃ（図示せず）をその内部に有するものであり、ケース１１及びカバー１２の両者に挟み込まれ、その先端部が携帯電話機１の前端左側から前方へ突出している。受話口３は、カバー１２の前方部に形成される一方、送話口７は、カバー１２の後方部に形成されている。ディスプレイ４の表示面は、受話口３の下方位置においてカバー１２から露出しており、操作キー群６の操作面は、送話口７の上方位置においてカバー１２から露出している。
【００３０】
十字方向操作キー５は、通信を行うべく携帯電話機１を把持した際に母指での操作を容易にするように、ディスプレイ４と操作キー群６との間で、かつ、携帯電話機１の幅方向中央部に配置されている。
【００３１】
図２は、図１に示した携帯電話機の内部構成を示すブロック図である。
携帯電話機１の３つの自局電話番号に対応した３本のアンテナ８ａ〜８ｃは、それぞれ基地局とのキャリアの入出力を行う。アンテナ８ａ〜８ｃには、それぞれ信号処理回路１０１ａ〜１０１ｃが接続されている。
なお、本発明の携帯電話機が備えるアンテナの数は、特に限定されるものではなく、必ずしも、携帯電話機１のように、使用可能な自局電話番号に対応した数のアンテナが設けられる必要はない。例えば、１本のアンテナで複数の自局電話番号についての送信キャリアの送信及び受信キャリアの受信を行うこととしてもよい。
【００３２】
信号処理回路１０１（１０１ａ〜１０１ｃ）は、アンテナ８（８ａ〜８ｃ）より入力された受信キャリアの復調処理を行う受信器と、送信キャリアを変調処理する送信器と、受信器及び送信器に対して送信キャリア及び受信キャリアの送受信周波数の制御を行うシンセサイザと、音声及び制御情報の復号化処理等を行うチャネルデコーダと、音声及び制御情報の符号化処理を行うチャネルエンコーダと、音声の符号／復号処理を行う音声コーデックと、スピーカ１１１及びマイクロホン１１２とのインターフェイスとして機能する送受話器とを備えている。
【００３３】
アンテナ８（８ａ〜８ｃ）から入力された受信キャリアは、受信機−チャネルデコーダ−音声コーデック−送受信機によって音声に変換されて、スピーカ１１１から出力される。一方、通話中にマイクロホン１１２から入力された音声は、使用中の自局電話番号に対応した信号処理回路１０１に入力され、送受信機−音声コーデック−チャネルエンコーダ−送信器によって送信キャリアに変換されて、アンテナ８（８ａ〜８ｃ）から出力される。これにより、音声通話が達成される。携帯電話機１は、上述したように、３本のアンテナ８（８ａ〜８ｃ）と、３つの信号処理回路１０１（１０１ａ〜１０１ｃ）とを有しており、３つの自局電話番号のいずれか１つを使用して音声通話を行うことができる。
【００３４】
信号処理回路１０１ａ〜１０１ｃには、それぞれレベル検出回路１０２ａ〜１０２ｃが接続されている。レベル検出回路１０２（１０２ａ〜１０２ｃ）は、基地局からアンテナ８（８ａ〜８ｃ）を介して信号処理回路１０１（１０１ａ〜１０１ｃ）に入力された受信キャリアの電波強度を検出してそのデータを制御回路１１６に送信する。制御回路１１６は、受信キャリアの電波強度に関するデータを、３つのレベル検出回路１０２（１０２ａ〜１０２ｃ）の各々から受信し、当該データに基づいて、ディスプレイ４にアンテナピクトを表示する。
【００３５】
信号処理回路１０１ａ〜１０１ｃのそれぞれと接続された制御回路１１６は、ＣＰＵ（Central Processing Unit）やメモリ等を有しており、制御中枢を司るものである。具体的には、制御回路１１６は、予め記憶されているプログラムに従って、発信ボタンを含む操作キー群６及び十字操作キー５からの入力に対する制御、ディスプレイ４への表示の制御、信号処理回路１０１ａ〜１０１ｃへの制御（例えば、シンセサイザの制御や、スピーカ１１１又はマイクロホン１１２との音声の送受信を行う信号処理回路１０１ａ〜１０１ｃの切り替え制御等）、着信音出力スピーカ１０３への音信号の出力制御、並びに、バイブレータ用モータ１０４の駆動制御を行う。
【００３６】
制御回路１１６及び着信音出力スピーカ１０３は、所定の着信態様で着信報知を行う着信報知手段であり、所定の着信音で着信報知を行う着信音発生手段として機能する。
また、制御回路１１６及びバイブレータ用モータ１０４は、所定の着信態様で着信報知を行う着信報知手段であり、所定の振動で着信報知を行う振動発生手段として機能する。
【００３７】
また、制御回路１１６（図示せず）は、メモリを有している。このメモリには、例えば、各種の画像データ、着信音を出力するための種々の音データ、通話時間を累積加算して当該メモリに記憶させるプログラム、３つの自局電話番号の各々についての料金体系に基づいて通話料金を算出するプログラム等、各種のデータやプログラムが記憶される。
【００３８】
また、制御回路１１６には、メモリ等を有する電話番号記憶回路１１３が接続されている。電話番号記憶回路１１３には、アドレス帳テーブルが格納されている。このアドレス帳テーブルには、携帯電話機１で使用可能な自局電話番号ごとに、相手先の識別情報（例えば、相手局電話番号、相手先の氏名又は名称等）が記憶される。また、アドレス帳テーブルには、携帯電話機１で使用可能な自局電話番号ごとに、着信態様変更期間と、音声メッセージとが設定されている。
【００３９】
また、制御回路１１６は、時計機能を有し、日付、曜日及び時刻を示す時刻データを生成することが可能である。
本発明の携帯電話機の外観及び内部構成は、勿論、図１、図２に示した例に限定されるものではない。
【００４０】
次に、電話番号記憶回路１１３に格納されるアドレス帳テーブルについて説明する。
図３は、アドレス帳テーブルの一例を示す概念図である。
アドレス帳テーブルには、自局電話番号が３つ記憶されている。これらの自局電話番号が、携帯電話機１で使用可能な自局電話番号である。
【００４１】
アドレス帳テーブルには、各自局電話番号の用途が記憶されている。最上段の自局電話番号が家族・友人用であり、その下段が私的用であり、最下段が業務用である。
このように自局電話番号とその用途とが関連付けられているため、複数の用途についての使い分けが可能であり、通話料金の支払い先を明確にすることができる。
【００４２】
また、家族・友人用の自局電話番号には、着信態様変更期間として、期間Ａ（勤務時間）が設定され、音声メッセージとして、「只今、勤務中のため電話にでることができません。」というメッセージが設定されている。私的用の自局電話番号には、着信態様変更期間として期間Ａ（勤務時間）及び期間Ｂ（在宅時間）が設定され、音声メッセージとして、「今出られないから後で電話するね」というメッセージが設定されている。業務用の自局電話番号には、着信態様変更期間と、音声メッセージとは設定されていない。
【００４３】
アドレス帳テーブルには、相手先識別情報（相手局電話番号及び相手先の氏名若しくは名称）が記憶されている。相手先識別情報は、各自局電話番号と関連付けられている。
例えば、家族・友人用の自局電話番号には、相手先「ひろみ（妻）」の識別情報と、相手先「ひろし（友人）」の識別情報とが関連付けられている。また、私的用の自局電話番号には、相手先「りょうこ（恋愛対象）」の識別情報が関連付けられている。また、業務用の自局電話番号には、相手先「○○社長」の識別情報と、相手先「●●部長」の識別情報とが関連付けられている。
【００４４】
着信態様変更期間は、着信態様を変更させることとする期間である。従って、期間Ａ（勤務時間）内に、家族・友人用の自局電話番号に対して着信があった場合には、着信報知を行わないように、着信態様が変更されるとともに、「只今、勤務中のため電話にでることができません」という音声メッセージが送出される。
また、期間Ａ（勤務時間）内、又は、期間Ｂ（在宅時間）内に私的用の自局電話番号に対して着信があった場合には、着信報知を行わないように、着信態様が変更されるとともに、「今出られないから後で電話するね」という音声メッセージが送出される。
【００４５】
図３に示したアドレス帳テーブルの各項目の内容、及び、各項目間の関連付けについては、「自局電話番号」の内容を除いて、使用者が十字方向操作キー５や操作キー群６を操作することにより任意に入力することが可能である。また、着信態様変更期間、音声メッセージについても、使用者が十字方向操作キー５及び操作キー群６を操作することにより任意に設定することが可能である。制御回路１１６は、十字方向操作キー５、操作キー群６及び制御回路１１６は、複数の自局電話番号の各々に対して着信態様を変更させることとする期間を設定可能な期間設定手段として機能する。また、制御回路１１６は、音声メッセージを自局電話番号に対応させて個別に設定可能な第１音声メッセージ設定手段として機能する。
【００４６】
図４は、携帯電話機１の制御回路１１６において実行される着信処理ルーチンである。
図４に示したサブルーチンは、予め実行されているメインルーチンから所定のタイミングで呼び出されて実行されるものである。
【００４７】
まず、制御回路１１６は、着信があったか否かを判断する（ステップＳ１）。この処理において、制御回路１１６は、アンテナ８（８ａ〜８ｃ）から信号処理回路１０１（１０１ａ〜１０１ｃ）を介して受信キャリアの入力を受けたか否かを判断することにより、着信の有無を判断する。着信がなかったと判断した場合、本サブルーチンを終了する。
【００４８】
一方、ステップＳ１において、着信があったと判断した場合、制御回路１１６は、３つの自局電話番号のうち、当該着信によって使用される自局電話番号を特定する（ステップＳ２）この処理において、制御回路１１６は、３つの信号処理回路１０１ａ〜１０１ｃのうち、受信キャリアの入力を受けた信号処理回路１０１に対応する自局電話番号を、当該着信によって使用される自局電話番号であると特定する。
【００４９】
次に、制御回路１１６は、ステップＳ２において特定された自局電話番号に対して、着信態様変更期間が設定されているか否かを判断する（ステップＳ３）。
図３に示した例によれば、制御回路１１６は、家族・友人用の自局電話番号、又は、私的用の自局電話番号に対して着信があった場合に、自局電話番号に着信態様変更期間が設定されていると判断し、業務用の自局電話番号に対して着信があった場合に、自局電話番号に着信態様変更期間が設定されていないと判断する。
【００５０】
着信態様変更期間が設定されていないと判断した場合、制御回路１１６は、着信音出力スピーカ１０３から着信音を発生させる（ステップＳ４）。このとき、制御回路１１６及び着信音出力スピーカ１０３は、所定の着信音で着信報知を行う着信音発生手段として機能する。次に、操作キー群６にある通話ボタンが操作されたか否かを判断する（ステップＳ５）。操作キー群６にある通話ボタンが操作されたと判断した場合、制御回路１１６は、着信音出力スピーカ１０３からの着信音の出力を停止させる（ステップＳ８）。次に、制御回路１１６は、使用される自局電話番号に対応したアンテナ８と信号処理回路１０１とによって、着信相手先との通話を開始させ（ステップＳ９）、本サブルーチンを終了する。
【００５１】
一方、ステップＳ５において、通話ボタンが操作されていないと判断した場合、制御回路１１６は、着信相手先からの着信が停止したか否かを判断する（ステップＳ６）。この判断は、使用される自局電話番号に対応した信号処理回路１０１からの受信キャリアの入力が停止したか否かを判断することにより行われる。
【００５２】
着信相手先からの着信が停止していないと判断した場合、処理をステップＳ５に戻す。一方、ステップＳ６において、着信相手先からの着信が停止したと判断した場合、着信音出力スピーカ１０３からの着信音の出力を停止させ（ステップＳ７）、本サブルーチンを終了する。
【００５３】
上述したステップＳ３において、使用される自局電話番号に、着信態様変更期間が設定されていると判断した場合、制御回路１１６は、ステップＳ１において着信があったと判断された時刻が、当該自局電話番号に対して設定された着信態様変更期間内であるか否かを判断する（ステップＳ１１）。
例えば、家族・友人用の自局電話番号に着信があった場合、制御回路１１６は、そのときの時刻データに基づいて、当該時刻データに係る時刻が、期間Ａ（勤務時間）内であるか否かを判断する。また、私的用の自局電話番号に着信があった場合、制御回路１１６は、そのときの時刻データに基づいて、当該時刻データに係る時刻が、期間Ａ（勤務時間）内、又は、期間Ｂ（在宅時間）内であるか否かを判断する。
このとき、制御回路１１６は、設定された着信態様変更期間内に着信があったか否かを判断する判断手段として機能する。
【００５４】
ステップＳ１１において、着信態様変更期間内の着信ではないと判断した場合、処理をステップＳ４に進め、ステップＳ４以降の処理を実行する。その結果、着信態様は変更されず、着信音出力スピーカ１０３からの着信音の出力による着信報知が行われる。
【００５５】
一方、着信態様変更期間内であると判断した場合、着信音出力スピーカ１０３からの着信音の出力による着信報知を行わずに着信拒否を行う（ステップＳ１２）。このとき、制御回路１１６は、判断手段（制御回路１１６）の判断結果に応じて、着信音による着信報知を行わないように、着信態様を変更する着信態様変更手段として機能する。
【００５６】
次に、着信があった自局電話番号に対応するアンテナ８及び信号処理回路１０１によって音声メッセージを送出する（ステップＳ１３）。
例えば、家族・友人用の自局電話番号に着信があり、当該着信が期間Ａ（勤務時間）内であった場合には、着信音出力スピーカ１０３からの着信音の出力による着信報知は行われずに「只今、勤務中のため電話にでることができません」という音声メッセージが送出される。従って、勤務中に家族や友人から着信があったことを自社の人に知られることを防止することができ、その一方で、家族や友人に対しては、勤務中で電話に出ることができない旨を知らせることができる。
【００５７】
また、私的用の自局電話番号に着信があり、当該着信が期間Ａ（勤務時間）内、又は、期間Ｂ（在宅時間）内であった場合には、着信音出力スピーカ１０３からの着信音の出力による着信報知は行われずに「今出られないから後で電話するね」という音声メッセージが送出される。従って、勤務中に恋愛対象から着信があったことを自社の人に知られたり、在宅中に恋愛対象から着信があったことを家族に知られたりすることを防止することができ、その一方で、恋愛対象に対しては、電話に出ることができない旨を知らせることができる。
ステップＳ１３の処理が実行されるとき、制御回路１１６、信号処理回路１０１及びアンテナ８は、判断手段（制御回路１１６）の判断結果に応じて、通話することができない旨を相手先に知らせるための音声メッセージを送出する送出手段として機能する。
ステップＳ１３の処理を実行すると、本サブルーチンを終了する。
【００５８】
以上、第１実施形態に係る携帯電話機１によれば、３つの自局電話番号の各々に対して、着信態様を変更させる期間を設定することが可能であるため、例えば、勤務時間内に家族・友人用の自局電話番号、及び、私的用の自局電話番号についての着信態様を変更するように設定しておけば、勤務開始時に、都度、着信態様の変更を行う必要がなくなるとともに、着信態様の変更を忘れてしまうこともない。また、例えば、自宅に居る時間帯には、私的用の自局電話番号についての着信態様を変更するように設定しておけば、自宅に帰るごとに、都度、着信態様の変更を行う必要がなくなるとともに、着信態様の変更を忘れてしまうこともない。その結果、利便性に優れ、１台で複数の自局電話番号を複数の用途や通話対象ごとに使い分けても人間関係の悪化を招来することがない。
【００５９】
また、着信態様変更期間内に、この着信態様変更期間に係る自局電話番号に対して着信があると、音声メッセージが送出され、通話することができない旨が知らされるため、人間関係の悪化を確実に防止することができる。
【００６０】
［第２実施形態］
第２実施形態に係る携帯電話機は、期間設定手段により設定された着信態様変更期間内に、着信があったと判断手段によって判断された際、着信音による着信報知を行わずに振動による着信報知を行うように、着信態様を変更するものである。
【００６１】
第２実施形態に係る携帯電話機の外観や内部構成等（図１〜図３）については、アドレス帳テーブルに音声メッセージが設定されずに、音声メッセージが送出されない点を除いて、第１実施形態に係る携帯電話機と略同様であるので、説明を省略することとし、ここでは、第２実施形態に係る携帯電話機の制御回路において実行される処理について説明することする。なお、第１実施形態に係る携帯電話機の構成要素と対応する構成要素には同一の符号を付して説明することとする。
【００６２】
図５は、第２実施形態に係る携帯電話機１の制御回路１１６において実行される着信処理ルーチンを示すフローチャートである。なお、図５に示したフローチャートには、図４に示したフローチャートのステップと同様の処理をするステップには同一の符号を付した。
【００６３】
まず、制御回路１１６は、着信があったか否かを判断する（ステップＳ１）。着信がなかったと判断した場合、本サブルーチンを終了する。一方、ステップＳ１において、着信があったと判断した場合、制御回路１１６は、３つの自局電話番号のうち、当該着信によって使用される自局電話番号を特定する（ステップＳ２）。
【００６４】
次に、制御回路１１６は、ステップＳ２において特定された自局電話番号に対して、着信態様変更期間が設定されているか否かを判断する（ステップＳ３）。着信態様変更期間が設定されていないと判断した場合、制御回路１１６は、着信音出力スピーカ１０３から着信音を発生させる（ステップＳ４）。ステップＳ４の処理が実行されるとき、制御回路１１６及び着信音出力スピーカ１０３は、所定の着信音で着信報知を行う着信音発生手段として機能する。
【００６５】
一方、ステップＳ３において、着信態様変更期間が設定されていると判断した場合、制御回路１１６は、ステップＳ１において着信があったと判断された時刻が、ステップＳ２において特定された自局電話番号に対した設定された着信態様変更期間内であるか否かを判断する（ステップＳ１１）。このとき、制御回路１１６は、設定された着信態様変更期間内に着信があったか否かを判断する判断手段として機能する。
【００６６】
ステップＳ１１において、着信態様変更期間内の着信ではないと判断した場合、制御回路１１６は、処理をステップＳ４に進め、着信音出力スピーカ１０３から着信音を発生させる。一方、ステップＳ１１において、着信態様変更期間内の着信であると判断した場合、制御回路１１６は、バイブレータ用モータ１０４を駆動させ、振動を発生させる（ステップＳ２２）。
ステップＳ２２の処理が実行されるとき、制御回路１１６及びバイブレータ用モータ１０４は、所定の振動で着信報知を行う振動発生手段として機能する。
【００６７】
また、ステップＳ２２において、制御回路１１６は、判断手段（制御回路１１６）の判断結果に応じて、着信音発生手段による着信報知を行わずに、振動発生手段による着信報知を行うように、着信態様を変更する着信態様変更手段として機能する。
【００６８】
ステップＳ４又はＳ２２の処理を実行した場合、次に、制御回路１１６は、操作キー群６にある通話ボタンが操作されたか否かを判断する（ステップＳ５）。操作キー群６にある通話ボタンが操作されたと判断した場合、制御回路１１６は、着信音出力スピーカ１０３からの着信音の出力、又は、バイブレータ用モータ１０４の駆動を停止させる（ステップＳ２８）。次に、制御回路１１６は、使用される自局電話番号に対応したアンテナ８と信号処理回路１０１とによって、着信相手先との通話を開始させ（ステップＳ９）、本サブルーチンを終了する。
【００６９】
一方、ステップＳ５において、通話ボタンが操作されていないと判断した場合、制御回路１１６は、着信相手先からの着信が停止したか否かを判断する（ステップＳ６）。
ステップＳ６において、着信相手先からの着信が停止していないと判断した場合、処理をステップＳ５に戻す。一方、ステップＳ６において、着信相手先からの着信が停止したと判断した場合、着信音出力スピーカ１０３からの着信音の出力、又は、バイブレータ用モータ１０４の駆動を停止させ（ステップＳ２７）、本サブルーチンを終了する。
【００７０】
以上、第２実施形態に係る携帯電話機１によれば、例えば、自宅に居る時間帯に家族に知られたくない交際相手との通話に使用する自局電話番号についての着信態様を変更するように設定しておけば、自宅に居るときに交際相手から着信があっても、着信音による着信報知は行われず、振動による着信報知が行われるため、交際相手からの着信を家族に知られ難く、その一方で使用者は当該着信を容易に知ることができる。また、例えば、平日の就業時間に友人との通話に使用する自局電話番号についての着信態様を変更するように設定しておけば、就業中に友人からの着信があっても、着信音による着信報知が行われず、振動による着信報知が行われるため、友人からの着信を職場の人に知られ難く、その一方で使用者は当該着信を容易に知ることができる。
このように、設定された着信態様変更期間内に、当該着信態様変更期間に係る自局電話番号に対して着信態様があると、着信音による着信報知が行われず、振動による着信報知が行われるため、１台で複数の自局電話番号を複数の用途ごとに使い分けていることを他人に知られることを防止することが可能となる。
【００７１】
本発明の携帯電話機において、所定の着信態様で着信報知を行う着信報知手段は、第１実施形態に係る携帯電話機１が備える着信音発生手段（制御回路１１６及び着信音出力スピーカ１０３）、振動発生手段（制御回路１１６及びバイブレータ用モータ１０４）に限定されるものではなく、例えば、表示手段（ディスプレイ４）に所定の画像を表示することにより着信報知を行うこととしてもよい。また、携帯電話機が光源（例えば、ＬＥＤ、蛍光灯等）を備えている場合には、当該光源によるイルミネーションで着信報知を行うこととしてもよい。本発明の携帯電話機が備える着信報知手段の数は、特に限定されるものではなく、１つであってもよければ、複数であってもよい。
【００７２】
本発明の携帯電話機において、着信態様の変更パターンは、特に限定されるものではなく、第１実施形態に係る携帯電話機１のように、変更前の着信態様が着信音による着信報知、変更後の着信態様が着信報知を行わないという着信態様の変更パターンであってもよく、第２実施形態に係る携帯電話機１のように、変更前の着信態様が着信音による着信報知、変更後の着信態様が振動による着信報知という着信態様の変更パターンであってもよい。
【００７３】
着信態様の変更パターンは、上述したように特に限定されるものではないが、変更前の着信態様より変更後の着信態様が、第三者に気付かれ難い着信態様となることが望ましい。
１台で複数の自局電話番号を複数の用途や通話対象ごとに分けて使用していることを他人に知られることを防止することができるからである。一般的に、（Ａ）着信音による着信報知、（Ｂ）光源によるイルミネーションでの着信報知、（Ｃ）振動による着信報知、（Ｄ）画像による着信報知、（Ｅ）着信報知なし、の順に第三者に気付かれ難くなる。従って、変更前の着信態様より変更後の着信態様が第三者に気付かれ難い着信態様となるような着信態様の変更パターンとしては、例えば、（Ａ）から（Ｂ）への着信態様の変更パターンや、（Ａ）又は（Ｂ）から（Ｃ）への着信態様の変更パターンや、（Ａ）、（Ｂ）又は（Ｃ）から（Ｄ）への着信態様の変更パターンや、（Ａ）、（Ｂ）、（Ｃ）又は（Ｄ）から（Ｅ）への着信態様の変更パターン等を挙げることができる。
【００７４】
また、着信態様の変更パターンとしては、例えば、変更前の着信音より変更後の着信音の方が、その音量が小さくなるという着信態様の変更パターンや、変更前の振動より変更後の振動の方が、その強度が小さくなるという着信態様の変更パターンのように、着信態様の種類を変更せずにその程度を変更する着信態様の変更パターンであってもよい。
このようにする場合についても、１台で複数の自局電話番号を複数の用途や通話対象ごとに分けて使用していることを他人に知られることを防止するため、変更前の着信態様より変更後の着信態様が、第三者に気付かれ難い着信態様となることが望ましい。
【００７５】
本発明の携帯電話機は、第１実施形態に係る携帯電話機１のように、音声メッセージを送出する送出手段を備えていることが望ましい。着信態様変更期間内に着信があったときに、この着信態様変更期間に係る自局電話番号に対して着信があると、音声メッセージが送出され、通話することができない旨が知らされるため、人間関係の悪化を確実に防止することができるからである。
【００７６】
上記送出手段を備えた本発明の携帯電話機は、さらに、第１実施形態に係る携帯電話機１のように、音声メッセージを自局電話番号に対応させて個別に設定可能な第１音声メッセージ設定手段を備えていることが望ましい。それぞれの自局電話番号に応じた音声メッセージを設定することができるため、人間関係の悪化をより確実に防止することができるからである。また、相手局電話番号ごとに音声メッセージを設定するより、設定作業を軽減することができるという利点がある。
【００７７】
また、上記送出手段を備えた本発明の携帯電話機は、音声メッセージを相手局電話番号に対応させて個別に設定可能な第２音声メッセージ設定手段を備えていることも望ましい。
それぞれの相手局電話番号に応じた音声メッセージを設定することができるため、人間関係の悪化をより確実に防止することができるからである。また、自局電話番号ごとに音声メッセージを設定するより、各相手先に応じて音声メッセージを設定することができるという利点がある。
【００７８】
また、本発明の携帯電話機は、複数の自局電話番号の各々に対して着信態様変更期間を個別に設定する期間設定手段と、期間設定手段により設定された着信態様変更期間内に着信があったか否かを判断する判断手段とを備えているが、本発明では、自局電話番号の各々に対して着信態様変更期間を設定するのではなく、相手局電話番号に対して着信態様変更期間を設定することとしてもよい。すなわち、本発明においては、下記（ｉ）のような構成を採用してもよい。
【００７９】
（ｉ）所定の着信態様で着信報知を行う着信報知手段と、
着信態様を変更させることとする期間を、相手局電話番号に対して設定可能な期間設定手段と、
上記期間設定手段により設定された期間内に着信があったか否かを判断する判断手段と、
前記判断手段の判断結果に応じて、上記着信報知手段による着信報知の着信態様を変更する着信態様変更手段と
を備えたことを特徴とする携帯電話機。
【００８０】
（ｉ）の発明によれば、自局電話番号が１つである場合であっても、相手局電話番号に対して着信態様変更期間を設定することが可能であり、期間設定手段により設定された着信態様変更期間内に着信があった場合、着信態様が変更されるため、例えば、勤務時間中に家族や友人の相手局電話番号についての着信態様を変更するように設定しておけば、勤務開始時に、都度、着信態様の変更を行う必要がなくなるとともに、着信態様を変更し忘れてしまうこともない。その結果、利便性に優れ、人間関係の悪化を招来することがない。
【００８１】
また、本発明の携帯電話機は、１台で複数の自局電話番号を使用可能であるが、本発明を、１台で１つの自局電話番号のみを使用可能な携帯電話機に適用することも可能である。すわなち、本発明は、下記（ii）のような構成を採用することが可能である。
【００８２】
（ii）所定の着信態様で着信報知を行う着信報知手段と、
着信態様を変更させることとする期間を設定可能な期間設定手段と、
時期間設定手段により設定された期間内に着信があったか否かを判断する判断手段と、
上記判断手段の判断結果に応じて、上記着信報知手段による着信報知の着信態様を変更する着信態様変更手段と
を備えたことを特徴とする携帯電話機。
【００８３】
（ii）の発明によれば、例えば、勤務時間を着信態様変更期間として予め設定しておけば仕事中に着信音が発生しないというように着信態様が変更されるため、状況に応じてその都度設定する必要はなく、利便性に優れたものとなる。また、着信態様変更期間を一旦設定すれば、その後の設定が不要となるため、設定し忘れを確実に防止することができ、周囲の人に迷惑を掛けてしまうということがない。
【００８４】
また、上述した例では、複数の自局電話番号の使用が可能であり、複数の自局電話番号の各々に対して着信態様を変更させることとする期間を設定可能な携帯電話機について説明したが、本発明の携帯電話機は、複数の自局メールアドレスが使用可能であって、当該複数の自局メールアドレスの各々に対して着信態様を変更させることとする期間を設定可能なように構成されていてもよい。また、複数の自局電話番号及び複数の自局メールアドレスが使用可能であり、複数の自局電話番号及び複数の自局メールアドレスの各々に対して着信態様を変更させることとする期間を設定可能なように携帯電話機が構成されていてもよい。
【図面の簡単な説明】
【００８５】
【図１】第１実施形態に係る携帯電話機の一例を模式的に示す斜視図である。
【図２】図１に示した携帯電話機の内部構成を示すブロック図である。
【図３】図２に示した電話番号記憶回路内のメモリに格納されるアドレス帳テーブルの一例を示す概念図である。
【図４】図１に示した携帯電話機の制御回路において実行される着信処理ルーチンを示すフローチャートである。
【図５】第２実施形態に係る携帯電話機の制御回路において実行される着信処理ルーチンを示すフローチャートである。
【符号の説明】
【００８６】
１  携帯電話機
２  アンテナ部
３  受話口
４  ディスプレイ
５  十字方向操作キー
６  操作キー群
７  送話口
８（８ａ〜８ｃ）  アンテナ
１１  ケース
１２  カバー
１０１（１０１ａ〜１０１ｃ）  信号処理回路
１０２（１０２ａ〜１０２ｃ）  レベル検出回路
１０３  着信音出力スピーカ
１０４  バイブレータ用モータ
１１１  スピーカ
１１２  マイクロホン
１１３  電話番号記憶回路
１１６  制御回路
【図１】
2005204226.tif 000003
【図２】
2005204226.tif 000004
【図３】
2005204226.tif 000005
【図４】
2005204226.tif 000006
【図５】
2005204226.tif 000007